(57)【要約】      （修正有）【課題】羊羹やカステラ等の長尺食品，又は長尺工作物を任意の数で均等に分割する時に一つの用具と一つの操作にて分割幅を表示することができる均等割り尺を提供する。【解決手段】一枚の物差しの土台となる長尺台板１とそれとほぼ同等の長さを持つ伸張可能な長尺ゴム状平板２を一端において固着し、他端方向に伸張自由とし、長尺ゴム状平板２の表面に任意の数で均等の間隔に配列された目盛り３を印字し、長尺台板１の長尺方向の端部には、伸張された長尺ゴム状平板２を定位停止する事を可能とするストッパー４を装設する。長尺対象物を等分に分割せんとする時は長尺ゴム状平板２上の目盛り３の内分割数の目盛りの位置を長尺対象物の全長端まで伸張し、その位置でストッパー４にて長尺台板１に定位停止する。【選択図】図１
0003170994.tif 000002
【実用新案登録請求の範囲】
【請求項１】
物差しの土台となる長尺台板と、ほぼ同等の長さを持ちその表面に任意の数にて等分に配列された目盛りを印字した伸張可能な長尺ゴム状平板とを一端にて固着し他端方向に伸張自由として重装し、その長尺ゴム状平板を任意の長さまで伸長した位置にて定位停止する為のストッパーを長尺台板上に設置したる均等割り尺。
【請求項２】
上記請求項１記載の均等割り尺における長尺ゴム状平板に印字されたる各目盛りの位置に金属又は合成樹脂等の素材になる先端の鋭利な指標突起を長尺ゴム状平板の側辺より少量突出して挟着したる長尺ゴム状平板。
【請求項３】
上記請求項１における長尺台板を透明素材を材料としたその断面が扁平輪又はＵ字形となる長尺扁平管としその内部に上記記載の長尺ゴム状平板と、透明素材を材料とした長尺透明板とを重装する如く挿通し、長尺ゴム状平板の一端を長尺扁平管の一端にて固着し他端を長尺透明板の延長上の一端と固着し、その固着部を持って伸張し任意の位置にて定位停止する為のストッパーを長尺扁平管上に設置したる均等割り尺。
【考案の詳細な説明】
【技術分野】
【０００１】  本考案は羊羹やカステラ等の長尺食品、又は長尺工作物を任意の希求する数で等分する事を目的とする物差しに関する。
【背景技術】
【０００２】  従来羊羹やカステラ等の長尺食品、又は長尺工作物を希求する数で均等に分割する時には、物差しを用意しその全長を計測して希求する数で割り算で計算して一つの数値を出し、その数値を端から順次印字するかコンパスで繰り返し測定して正当な巾を割り出して印字する事を要し、一つの用具と一つの操作で簡単に分割巾を割り出すものは存在していない。
【考案の概要】
【考案が解決しようとする課題】
【０００３】  本考案は羊羹やカステラ等の長尺食品、又は長尺工作物を任意の希求する数で均等に分割する時に、一つの物差しで簡単な一操作にて均等割りの目盛りを測定可能な量産を可能とする物差しを提供する事を課題とする。
【課題を解決するための手段】
【０００４】  上記課題を解決するために請求項１に於いては一枚の物差しの土台となる長尺台板を設定し、それとほぼ同等の長さを持つ伸張可能な長尺ゴム状平板を長尺台板の一端にて固着重装し、他端方向に伸張自由とし、長尺ゴム状平板の表面には任意の数にて等分に配列された目盛りを印字する。長尺ゴム状平板を伸張して希求する分割数に合う目盛りを長尺対象物の全長に合致させその位置にて定位停止する為のストッパーを長尺台板上に装設する。【０００５】  請求項２においては、長尺ゴム状平板上の表面に印字された各目盛りの位置に金属又は合成樹脂を材料とした先端の鋭利な指標突起を長尺ゴム状平板の側辺より少量突出する如く挟着し、一度に全部の均等割り目盛りを長尺対象物に掻き印する如く構成する。【０００６】  請求項３に於いては、透明素材を材料とし断面が扁平輪またはＵ字形をした長尺扁平管を設定し、その内部に請求項１に記載の均等目盛りを印字した長尺ゴム状平板と、透明な素材を材料とした長尺透明板とを重装挿通し、長尺ゴム状平板の一端を長尺扁平管の一端にて固着し、伸張方向の他端を長尺透明板の延長上の一端と固着し、その両者を持って希求する分割数の目盛りを分割せんとする長尺対象物の全長まで伸張しその位置にて定位停止するためのストッパーを長尺扁平管上に装設する。
【考案の効果】
【０００７】  本考案になる請求項１の均等割り尺を用いる時は長尺ゴム状平板を伸張して希求する分割数の目盛りを長尺対象物の全長に合致した位置にてストッパーにて定位停止することにより，各目盛りの間隔も等分に比例して伸張され全体を希求する数で均等に分割された目盛りが表示される事になる。即ち軽便な一つの物差しと一操作だけで即時に如何なる数にても均等分割する事が可能であり，軽易に生産する事も容易である事は、従来の不便を考えると大いに便益を与えるものである。【０００８】  本考案になる請求項２に於いては長尺ゴム状平板上の全目盛りの位置に指標突起が挟着される事で、長尺対象物の表面に一度に全表示目盛りを掻き印する事が可能で一つずつ順次印字する手数を省く便益を得る事が出来る。【０００９】本考案になる請求項３に於いては、長尺扁平管を外管としてその内部に長尺ゴム状平板とその一端にて固着された長尺透明板と重装挿通する事で長尺ゴム状平板が安定して伸張縮小を反復する事を可能とし、分割すべき長尺対象物の長さより短い長尺扁平管にても延長測定する事を可能としより長い長尺対象物に対応する事が出来る。
【図面の簡単な説明】
【００１０】
【図１】長尺台板による均等割り尺の平面図と横面図及び立面図。
【図２】指標突起を挟着した長尺ゴム状平板の平面図と一部斜視図。
【図３】透明扁平管による均等割り尺の平面図と横断面図とＡ−Ａにおける立断面図。
【考案を実施するための形態】
【００１１】  長尺食品や長尺工作物を一用具一操作にて希求する数で均等分割するための均等割り尺の構造並びに操作を図により実施例を挙げて説明する。
【実施例１】
【００１２】  請求項１について図１によって説明すると均等割り尺の土台となる長尺台板１と長尺ゴム状平板２とを一端にて重装固着し、他端方向に伸張自由としその長尺ゴム状平板２の表面に任意の数の目盛り３を均等な間隔にて印字する。測定せんとする時は長尺ゴム状平板２上の希求する割り数に見合う目盛りを長尺対象物の全長まで伸張して合わせ、長尺台板１の先端部に装着されたクリップ構造を持つストッパー４にて定位停止する事により均等割りされた巾を表示することが出来る。
【実施例２】
【００１３】    請求項２について図２によって説明すると、長尺ゴム状平板２の表面に印字された目盛り３の夫々の位置に図示の如く先端が鋭利な指標突起５を長尺ゴム状平板２の側辺より少量突出する如く挟着する事で長尺対象物の表面に一度に均等割りされた目盛りを掻き示すことが可能となる。
【実施例３】
【００１４】  請求項３について図３によって説明すると、透明素材を材料としその断面が扁平輪又はＵ字形をした長尺扁平管６を設定し、その管内に前記記載の長尺ゴム状平板２と透明素材になる長尺透明板７とを重装して挿通し、長尺ゴム状平板２の一端を長尺扁平管６の一端にて固着し他端を長尺透明板７の延長上の一端に固着する。その固着部を持って伸張し希求する位置にて定位停止する為に、ここでは簡易な装置と平易な操作を目的として柔軟にして摩擦係数の高いシリコンゴム等の合成樹脂成型になる二枚のストッパー８を長尺扁平管６の表裏に明けられた窓９の位置に上下より夫々その半長を接着し残る半長を上下より挟圧する事で任意の位置にて定位停止し測定を可能とする如く構成する。
【符合の説明】
【００１５】１  長尺台板
２  長尺ゴム状平板
３  目盛り
４  クリップ構造になるストッパー
５  指標突起
６  長尺扁平管
７  長尺透明板
８  合成樹脂成型になるストッパー
９  長尺扁平管に明けられた窓
【図１】
0003170994.tif 000003
【図２】
0003170994.tif 000004
【図３】
0003170994.tif 000005
【手続補正書】
【提出日】平成23年7月25日(2011.7.25)
【手続補正１】
【補正対象書類名】実用新案登録請求の範囲
【補正対象項目名】請求項２
【補正方法】変更
【補正の内容】
【請求項２】
長尺ゴム状平板に印字された各目盛りの位置に金属又は合成樹脂等の素材からなる先端の鋭利な指標突起を長尺ゴム状平板の側辺より少量突出して挟着したことを特徴とする、請求項１に記載の均等割り尺。
【手続補正２】
【補正対象書類名】実用新案登録請求の範囲
【補正対象項目名】請求項３
【補正方法】変更
【補正の内容】
【請求項３】
長尺台板を透明素材を材料としたその断面が扁平輪又はＵ字形となる長尺扁平管としその内部に上記記載の長尺ゴム状平板と、透明素材を材料とした長尺透明板とを重装する如く挿通し、長尺ゴム状平板の一端を長尺扁平管の一端にて固着し他端を長尺透明板の延長上の一端と固着し、その固着部を持って伸張し任意の位置にて定位停止する為のストッパーを長尺扁平管上に設置したことを特徴とする、請求項１に記載の均等割り尺。